【事件の表示】
　特願２００２−　１８６９４「コンピュータソフトウェア製品を安全に配布する方法及びシステム」拒絶査定不服審判事件〔平成１４年１０月２５日出願公開、特開２００２−３１４５２９〕について、次のとおり審決する。
【結　論】
　本件審判の請求は、成り立たない。
【理　由】
第１．手続の経緯 
　本願は、平成１４年１月２８日（パリ条約による優先権主張２００１年１月３１日、米国）の出願であって、平成１５年１１月１９日付けで手続補正がなされ、平成１８年５月１９日付けで拒絶理由通知がなされ、同年８月２３日付けで手続補正がなされ、同年１２月８日付けで拒絶査定がなされ、これに対し、平成１９年３月１９日に審判請求がなされるとともに同日付けで手続補正がなされ、さらに同年４月１８日付けで手続補正がなされたものである。そして、同年８月２７日付けで審査官から前置報告がなされ、平成２１年５月１９日付けで当審より審尋がなされ、同年８月２６日付けで回答書が提出されたものである。
　 
第２．平成１９年４月１８日付け手続補正についての補正却下の決定
　
［補正却下の決定の結論］
　平成１９年４月１８日付け手続補正を却下する。
　
［理由］
１．審判請求時の補正について
　上記に記載したように、本件出願については、平成１９年３月１９日および同年４月１８日に手続補正がなされているが、これらの補正は、特許請求の範囲の記載をそれぞれ次のように補正するものである。
　
（補正前（拒絶査定時））
　「【請求項１】　ソフトウエア製品を配布する方法において、
　製品配布者において第１の公開キー／秘密キー対（タイトルＡ、タイトルＢ）を発生し、第１の公開キー（タイトルＡ）を用いて前記ソフトウエア製品を暗号化するステップ（２０２）と、
　前記暗号化されたソフトウエア製品をユーザ（１２０）に配布するステップ（２０６）と、
　前記製品配布者と前記ユーザとの間に、双方向公開/秘密暗号化キーの安全な通信を確立するステップと、
　前記安全な通信を経由して、第１の公開キーによって前記暗号化されたソフトウエア製品の解読（２０８）が可能な前記第１の秘密キー（タイトルＢ）を前記製品配布者から前記ユーザへ送信するステップとを含み、
　前記安全な通信を確立するステップが、
　前記製品配布者において、第２の公開キー／秘密キー対（ユーザＡ、ユーザＢ）を発生するステップ（３０４）と、
　前記第２の公開キーを前記ユーザに送信するステップ（３０６）と、
　前記ユーザにおいて、第３の公開キー／秘密キー対（コンソールＡ、コンソールＢ）を発生するステップ（３０８）と、
　前記ユーザにおいて、前記第２の公開キーを用いて前記第３の公開キーを暗号化するステップ（３１０）と、
　前記暗号化された第３の公開キーを前記製品配布者に送信するステップ（３１８、３２０）とを含む方法。
　　【請求項２】　請求項１記載の方法において、さらに、
　前記製品配布者から前記ユーザへ購入情報を送信するステップ（２１０）と、前記購入情報に応答して、前記安全な通信によって、前記製品配布者から前記ユーザに、該ユーザが前記解読されたソフトウエア製品を限定された方法で使用することができるようにする電子トークンを送信するステップとを含む方法。
　　【請求項３】　請求項２記載の方法において、前記限定された方法における使用には、制限された時間での使用または既定使用回数の使用を含む方法。
　　【請求項４】　請求項１記載の方法において、第２の公開キー／秘密キー対は、前記ユーザから前記製品配布者に提供されたユーザ情報（ＩＤ）を用いて生成される方法。
　　【請求項５】　請求項１または４記載の方法において、第３の公開キー／秘密キー対は、前記暗号化された製品が配布されているハードウエア識別手段、ハードウエア識別装置または媒体の媒体識別子を用いて生成される方法。
　　【請求項６】　請求項５記載の方法において、ユーザのコンピュータでの前記ソフトウエア製品の実行には、該ユーザのコンピュータへの前記ハードウエア識別装置の接続を必要とする方法。
　　【請求項７】　請求項１から６のいずれか記載の方法において、前記ユーザから前記製品配布者への前記通信または前記安全な通信は、公衆交換電話ネットワーク（１３０）を経由する押しボタン式信号または音声によって達成される方法。
　　【請求項８】　請求項１から７のいずれか記載の方法において、前記製品配布者から前記ユーザへの前記通信または前記安全な通信は、公衆交換電話ネットワーク（１３０）を経由する音声合成または音声によって達成される方法。
　　【請求項９】　制限された使用のディジタルソフトウエア製品へのアクセスを行うシステム（１００）において、
　サーバコンピュータ（１０２）と、ユーザ情報を記憶する顧客データベース（１０４）と、複数のソフトウエア製品タイトルを記憶するコンテンツデータベース（１０６）とを含むサーバネットワーク（１１０）と、
　ユーザによって操作され、且つ前記複数のソフトウエアタイトルから選択されたものを再生するように構成されたクライアントコンソール（１１４）と、
　前記クライアントコンソールに組み込み可能な、取り外し可能な記憶媒体（１２４）とを備える、システムであって、
　前記サーバコンピュータ（１０２）が、前記ソフトウエア製品を第１の公開キー（タイトルＡ）を用いて暗号化し、さらに、第２の公開キー／秘密キー対（ユーザＡ、ユーザＢ）を発生して（ステップ３０４）該第２の公開キーを前記クライアントコンソール（１１４）に送信し（ステップ３０６）、
　前記クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信する、システム。
　　【請求項１０】　請求項９記載のシステムにおいて、前記ユーザが、暗号解読情報を前記サーバコンピュータに送信（３１８、３２０）して、前記ユーザに配布された前記ソフトウエア製品へのアクセスを行う、システム。
　　【請求項１１】　請求項１０記載のシステムにおいて、前記ソフトウエア製品が読み取り可能なディスク媒体（１２２）でユーザに配布される、システム。
　　【請求項１２】　請求項１０記載のシステムにおいて、前記サーバコンピュータが、前記サーバに前記クライアントコンピュータを接続する通信リンク（１０８）を介して前記ソフトウエア製品を前記ユーザに配布する、システム。
　　【請求項１３】　請求項１１記載のシステムにおいて、前記ユーザが、公衆交換電話ネットワーク（１３０）を介して前記サーバコンピュータに接続された電話機（１３２）を使用して前記暗号解読情報を前記サーバコンピュータに送信する、システム。
　　【請求項１４】　請求項１２記載のシステムにおいて、前記ユーザが、前記通信リンクを介して前記暗号解読情報を前記サーバコンピュータに送信する、システム。
　　【請求項１５】　請求項１０記載のシステムにおいて、前記購入オプションが、予め設定された時間前記ソフトウエア製品を使用することを含む、システム。
　　【請求項１６】　請求項１０記載のシステムにおいて、前記購入オプションが、予め設定された期間のアクセスの間前記ソフトウエア製品を使用することを含む、システム。
　　【請求項１７】　請求項１０記載のシステムにおいて、前記第３の公開キー（コンソールＡ）が前記クライアントコンソールに組み込み可能な、取り外し可能な記憶媒体（１２４）に割り当てられ、符号化される、システム。
　　【請求項１８】　請求項１０記載のシステムにおいて、前記クライアントコンソールが対話型ゲームコンピュータであり、かつ前記ソフトウエア製品が、前記クライアントコンソールで実行可能な対話型コンピュータゲームを含む、システム。
　　【請求項１９】　通信ネットワーク（１０８）を介して１つ以上のクライアント・コンピュータ（１１４）に接続されるように構成されたサーバコンピュータ（１０２）において、
　ユーザ情報を記憶するように構成された顧客データベース（１０４）及び複数のソフトウエア製品タイトルを記憶するコンテンツデータベース（１０６）と、
　前記ユーザの要求時に前記１つ以上のクライアント・コンピュータ（１１４）のクライアント・コンピュータ（１１４）のユーザに対し、前記複数のソフトウエア製品タイトルからのソフトウエア製品を配布する配布モジュールと、
　ユーザ識別子（ＩＤ）及び前記ユーザによる前記ソフトウエア製品の使用を決定する購入オプション（２４０）を含む情報を使用して前記ソフトウエア製品を暗号化する暗号化モジュールと、
　暗号解読情報を前記ユーザから受信し、かつ前記暗号解読情報の確認時に前記ソフトウエア製品へのアクセスを行うように構成された暗号解読モジュールとを備え、
　前記サーバコンピュータ（１０２）が、前記ソフトウエア製品を第１の公開キー（タイトルＡ）を用いて暗号化し、さらに、第２の公開キー／秘密キー対（ユーザＡ、ユーザＢ）を発生して（ステップ３０４）該第２の公開キーを前記クライアントコンソール（１１４）に送信し（ステップ３０６）、
　前記クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信する、サーバコンピュータ。
　　【請求項２０】　請求項１９記載のサーバコンピュータにおいて、前記購入オプションが、予め設定された時間前記ソフトウエア製品を使用することまたは前記予め設定されたアクセス数の間前記ソフトウエア製品を使用することの一方を含む、サーバコンピュータ。
　　【請求項２１】　請求項２０記載のサーバコンピュータにおいて、前記第３の公開キー（コンソールＡ）が、前記クライアントコンソールに組み込み可能な、取り外し可能な記憶媒体に割り当てられて符号化される、サーバコンピュータ。
　　【請求項２２】　請求項２１記載のサーバコンピュータにおいて、前記クライアント・コンピュータが対話型ゲームコンピュータであり、かつ前記ソフトウエア製品が、前記クライアントコンソールで実行可能な対話型コンピュータゲームを含む、サーバコンピュータ。
　　【請求項２３】　請求項２２記載のサーバコンピュータにおいて、前記ソフトウエア製品及び暗号解読情報が、通信ネットワークを介して前記サーバコンピュータとクライアント・コンピュータとの間で送信される、サーバコンピュータ。
　　【請求項２４】　請求項２２記載のサーバコンピュータにおいて、前記ソフトウエア製品が、前記クライアント・コンピュータによってアクセス可能な読み取り可能なディスク媒体（１２２）で前記クライアント・コンピュータに配布され、かつ暗号解読情報が、電話システム（１３０）を介してユーザにより前記サーバコンピュータに通信される、サーバコンピュータ。
　　【請求項２５】　装置によって実行可能な命令のプログラムを実現する製品において、前記命令のプログラムがコンテンツプロバイダサーバ（１０２）で実行するように構成されており、前記製品が、
　ソフトウエア製品を暗号化する命令（２０２）と、
　遠隔のクライアントコンソール（１１４）からの通信の受信に関連して、前記コンテンツプロバイダサーバと前記クライアントコンソールとの間に、双方向公開/秘密暗号化キーの安全な通信を確立する命令（２０４）と、
　前記安全な通信を経由して、前記暗号化されたソフトウエア製品の解読（２０８）を可能とする第１の秘密キー（タイトルＢ）を前記クライアントコンソールに送信する命令とを含み、
　前記ソフトウエア製品を暗号化する命令（２０２）が、第１の公開キー（タイトルＡ）を用いて前記ソフトウエア製品を暗号化するステップ（２０２）を含み、
　前記安全な通信を確立する命令（２０４）が、
　第２の公開キー／秘密キー対（ユーザＡ、ユーザＢ）を発生する命令（３０４）と、
　前記第２の公開キーを前記クライアントコンソールに送信する命令（３０６）と、
　双方向通信の一方の通信として、前記第２の公開キーを用いて暗号化された第３の公開キー／秘密キー対（コンソールＡ、コンソールＢ）の公開キーを受信する命令と、
　前記第２の秘密キーを用いて前記暗号化された第３の公開キーを解読する命令とを含む製品。
　　【請求項２６】　請求項２５の製品において、さらに、
　ユーザから購入情報を受信する命令（２１０）と、
　前記購入情報に応答して前記安全な通信を経由して前記クライアントコンソールに、前記解読されたソフトウエア製品をユーザが限定された方法で使用することができるようにする電子トークンを送信する命令とを含む製品。
　　【請求項２７】　請求項２６記載の製品において、前記限定された方法における使用には、制限された時間での使用または既定使用回数の使用が含まれる製品。
　　【請求項２８】　請求項２５から２７のいずれか記載の製品において、前記ソフトウエア製品の前記暗号化は、前記安全な通信の公開キー／秘密キー対とは関連のない第１の公開キー／秘密キー対の公開キー（タイトルＡ）を用いて実行する製品。
　　【請求項２９】　請求項２５から２８のいずれか記載の製品において、さらに、ネットワーク（１０８）を経由して前記暗号化されたソフトウエア製品を配布する命令を含む製品。
　　【請求項３０】　請求項２５から２９のいずれか記載の製品において、前記遠隔クライアントコンソールからの双方向通信の一つの前記受信は、公衆交換電話ネットワーク（１３０）を経由する押しボタン式信号または会話信号の受信からなる製品。
　　【請求項３１】　請求項２５から３０のいずれか記載の製品において、前記通信のいずれもが、公衆交換電話ネットワーク（１３０）を経由する通信の音声合成データの発生を含む製品。
　　【請求項３２】　装置によって実行可能な命令のプログラムを実現する製品において、前記命令のプログラムがクライアントコンソール（１１４）で実行するように構成されており、前記製品が、
　第１の公開キーを用いて暗号化されたソフトウエア製品を受信する命令と、
　遠隔のコンテンツプロバイダサーバ（１０２）からの通信の受信に関連して、前記コンテンツプロバイダサーバと前記クライアントコンソールとの間に、双方向公開/秘密暗号化キーの安全な通信を確立する命令（２０４）と、
　前記安全な通信を経由して、前記コンテンツプロバイダサーバから前記暗号化されたソフトウエア製品の解読（２０８）を可能とする第１の秘密キー（タイトルＢ）を受信する命令とを含み、
　前記安全な通信を確立する命令が、
　双方向通信の一方の通信として、前記コンテンツプロバイダサーバから第２の公開キー／秘密キー対（ユーザＡ、ユーザＢ）を受信するする命令（３０６）と、
　第３の公開キー／秘密キー対（コンソールＡ、コンソールＢ）を発生する命令と、
　前記第２の公開キーを用いて前記第３の公開キーを暗号化する命令と、
　前記暗号化された第３の公開キーを前記コンテンツプロバイダサーバに送信する命令とを含む製品。
　　【請求項３３】　請求項３２の製品において、さらに、
　前記安全な通信を経由して、前記クライアントコンソールに、前記解読されたソフトウエア製品をユーザが限定された方法で使用することができるようにする電子トークンを受信する命令を含む製品。
　　【請求項３４】　請求項３３記載の製品において、前記限定された方法における使用には、制限された時間での使用または既定使用回数の使用が含まれる製品。
　　【請求項３５】　請求項３２から３４のいずれか記載の製品において、前記暗号化したソフトウエア製品の前記受信はネットワーク（１０８）を経由して実行される製品。
　　【請求項３６】　請求項３２から３５のいずれか記載の製品において、前記安全な通信が、前記暗号化された公開キーを表示装置（１１８）に表示することを含む製品。
　　【請求項３７】　ソフトウエア製品の実行及び再生またはいずれか一方を行うクライアントコンソール（１１４）であって、
　第１の公開キーを用いて暗号化されたソフトウエア製品を受信するように構成された手段と、
　遠隔のコンテンツプロバイダサーバ（１０２）からの通信の受信に関連して、前記コンテンツプロバイダサーバと前記クライアントコンソールとの間に、双方向公開/秘密暗号
化キーの安全な通信を確立する手段（２０４）と、
　前記安全な通信を経由して、前記コンテンツプロバイダサーバから前記暗号化されたソフトウエア製品の解読（２０８）を可能とする第１の秘密キー（タイトルＢ）を受信するように構成された手段とを備え、
　前記安全な通信を確立する手段が、
　双方向通信の一方の通信として、前記コンテンツプロバイダサーバから第２の公開キー／秘密キー対（ユーザＡ、ユーザＢ）を受信するする手段（３０６）と、
　第３の公開キー／秘密キー対（コンソールＡ、コンソールＢ）を発生する手段と、
　前記第２の公開キーを用いて前記第３の公開キーを暗号化する手段と、
　前記暗号化された第３の公開キーを前記コンテンツプロバイダサーバに送信する手段とを備えるクライアントコンソール。
　　【請求項３８】　請求項３７のクライアントコンソールにおいて、さらに、
　前記安全な通信を経由して、前記クライアントコンソールに、前記解読されたソフトウエア製品をユーザが限定された方法で使用することができるようにする電子トークンを受信するように構成された手段を含むクライアントコンソール。
　　【請求項３９】　請求項３８記載のクライアントコンソールにおいて、前記限定された方法における使用には、制限された時間での使用または既定使用回数の使用が含まれるクライアントコンソール。
　　【請求項４０】　請求項３７から３９のいずれか記載のクライアントコンソールにおいて、前記暗号化したソフトウエア製品の前記受信はネットワーク（１０８）を経由して実行されるクライアントコンソール。
　　【請求項４１】　請求項３７から４０のいずれか記載のクライアントコンソールにおいて、前記安全な通信が、前記暗号化された公開キーを表示装置（１１８）に表示することを含むクライアントコンソール。」
　
（平成１９年３月１９日付け補正）
　「【請求項１】　ソフトウエア製品を配布する方法において、
　製品配布者において第１の公開キー／秘密キー対（タイトルＡ、タイトルＢ）を発生し、第１の公開キー（タイトルＡ）を用いて前記ソフトウエア製品を暗号化するステップ（２０２）と、
　前記暗号化されたソフトウエア製品をユーザ（１２０）に配布するステップ（２０６）と、
　前記製品配布者と前記ユーザとの間に、双方向公開/秘密暗号化キーの安全な通信を確立するステップと、
　前記安全な通信を経由して、第１の公開キーによって前記暗号化されたソフトウエア製品の解読（２０８）が可能な前記第１の秘密キー（タイトルＢ）を前記製品配布者から前記ユーザへ送信するステップとを含み、
　前記安全な通信を確立するステップが、
　前記製品配布者において、第２の公開キー／秘密キー対（ユーザＡ、ユーザＢ）を発生するステップ（３０４）と、
　前記第２の公開キーを前記ユーザに送信するステップ（３０６）と、
　前記ユーザにおいて、第３の公開キー／秘密キー対（コンソールＡ、コンソールＢ）を発生するステップ（３０８）と、
　前記ユーザにおいて、前記第２の公開キーを用いて前記第３の公開キーを暗号化するステップ（３１０）と、
　前記暗号化された第３の公開キーを前記製品配布者に送信するステップ（３１８、３２０）とを含む方法。
　　【請求項２】　請求項１記載の方法において、さらに、
　前記製品配布者から前記ユーザへ購入情報を送信するステップ（２１０）と、前記購入情報に応答して、前記安全な通信によって、前記製品配布者から前記ユーザに、該ユーザが前記解読されたソフトウエア製品を限定された方法で使用することができるようにする電子トークンを送信するステップとを含む方法。
　　【請求項３】　請求項２記載の方法において、前記限定された方法における使用には、制限された時間での使用または既定使用回数の使用を含む方法。
　　【請求項４】　請求項１記載の方法において、第２の公開キー／秘密キー対は、前記ユーザから前記製品配布者に提供されたユーザ情報（ＩＤ）を用いて生成される方法。
　　【請求項５】　請求項１または４記載の方法において、第３の公開キー／秘密キー対は、前記暗号化された製品が配布されているハードウエア識別手段、ハードウエア識別装置または媒体の媒体識別子を用いて生成される方法。
　　【請求項６】　請求項５記載の方法において、ユーザのコンピュータでの前記ソフトウエア製品の実行には、該ユーザのコンピュータへの前記ハードウエア識別装置の接続を必要とする方法。
　　【請求項７】　請求項１から６のいずれか記載の方法において、前記ユーザから前記製品配布者への前記通信または前記安全な通信は、公衆交換電話ネットワーク（１３０）を経由する押しボタン式信号または音声によって達成される方法。
　　【請求項８】　請求項１から７のいずれか記載の方法において、前記製品配布者から前記ユーザへの前記通信または前記安全な通信は、公衆交換電話ネットワーク（１３０）を経由する音声合成または音声によって達成される方法。
　　【請求項９】　制限された使用のディジタルソフトウエア製品へのアクセスを行うシステム（１００）において、
　サーバコンピュータ（１０２）と、ユーザ情報を記憶する顧客データベース（１０４）と、複数のソフトウエア製品タイトルを記憶するコンテンツデータベース（１０６）とを含むサーバネットワーク（１１０）と、
　ユーザによって操作され、且つ前記複数のソフトウエアタイトルから選択されたものを再生するように構成されたクライアントコンソール（１１４）と、
　前記クライアントコンソールに組み込み可能な、取り外し可能な記憶媒体（１２４）とを備える、システムであって、
　前記サーバコンピュータ（１０２）が、前記ソフトウエア製品を第１の公開キー（タイトルＡ）を用いて暗号化し、さらに、第２の公開キー／秘密キー対（ユーザＡ、ユーザＢ）を発生して（ステップ３０４）該第２の公開キーを前記クライアントコンソール（１１４）に送信し（ステップ３０６）、
　前記クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信する、システム。
　　【請求項１０】　請求項９記載のシステムにおいて、前記ユーザが、暗号解読情報を前記サーバコンピュータに送信（３１８、３２０）して、前記ユーザに配布された前記ソフトウエア製品へのアクセスを行う、システム。
　　【請求項１１】　請求項１０記載のシステムにおいて、前記ソフトウエア製品が読み取り可能なディスク媒体（１２２）でユーザに配布される、システム。
　　【請求項１２】　請求項１０記載のシステムにおいて、前記サーバコンピュータが、前記サーバに前記クライアントコンピュータを接続する通信リンク（１０８）を介して前記ソフトウエア製品を前記ユーザに配布する、システム。
　　【請求項１３】　請求項１１記載のシステムにおいて、前記ユーザが、公衆交換電話ネットワーク（１３０）を介して前記サーバコンピュータに接続された電話機（１３２）を使用して前記暗号解読情報を前記サーバコンピュータに送信する、システム。
　　【請求項１４】　請求項１２記載のシステムにおいて、前記ユーザが、前記通信リンクを介して前記暗号解読情報を前記サーバコンピュータに送信する、システム。
　　【請求項１５】　請求項１０記載のシステムにおいて、前記購入オプションが、予め設定された時間前記ソフトウエア製品を使用することを含む、システム。
　　【請求項１６】　請求項１０記載のシステムにおいて、前記購入オプションが、予め設定された期間のアクセスの間前記ソフトウエア製品を使用することを含む、システム。
　　【請求項１７】　請求項１０記載のシステムにおいて、前記第３の公開キー（コンソールＡ）が前記クライアントコンソールに組み込み可能な、取り外し可能な記憶媒体（１２４）に割り当てられ、符号化される、システム。
　　【請求項１８】　請求項１０記載のシステムにおいて、前記クライアントコンソールが対話型ゲームコンピュータであり、かつ前記ソフトウエア製品が、前記クライアントコンソールで実行可能な対話型コンピュータゲームを含む、システム。」
　
（平成１９年４月１８日付け補正）
　「【請求項１】　ソフトウエア製品を配布する方法において、
　製品配布者において第１の公開キー／秘密キー対（タイトルＡ、タイトルＢ）を発生し、第１の公開キー（タイトルＡ）を用いて前記ソフトウエア製品を暗号化するステップ（２０２）と、
　前記暗号化されたソフトウエア製品をユーザ（１２０）に配布するステップ（２０６）と、
　前記製品配布者と前記ユーザとの間に、双方向公開/秘密暗号化キーの安全な通信を確立するステップと、
　前記安全な通信を経由して、第１の公開キーによって前記暗号化されたソフトウエア製品の解読（２０８）が可能な前記第１の秘密キー（タイトルＢ）を前記製品配布者から前記ユーザへ送信するステップとを含み、
　前記安全な通信を確立するステップが、
　前記製品配布者において、第２の公開キー／秘密キー対（ユーザＡ、ユーザＢ）を発生するステップ（３０４）と、
　前記第２の公開キーを前記ユーザに送信するステップ（３０６）と、
　前記ユーザにおいて、第３の公開キー／秘密キー対（コンソールＡ、コンソールＢ）を発生するステップ（３０８）と、
　前記ユーザにおいて、前記第２の公開キーを用いて前記第３の公開キーを暗号化するステップ（３１０）と、
　前記暗号化された第３の公開キーを前記製品配布者に送信するステップ（３１８、３２０）と、
　前記製品配布者において、前記第３の公開キー（コンソールＡ）を用いて前記第１の秘キー（タイトルＢ）を暗号化し、さらに、前記第２の秘密キー（ユーザＢ）を用いて該暗号化した第１の秘密キー及び前記第３の公開キーを暗号化して、該暗号化した第１の秘密キー及び前記第３の公開キーを前記ユーザに送信するステップ（３２６、３２８）とを含む方法。
　　【請求項２】　請求項１記載の方法において、さらに、
　前記製品配布者から前記ユーザへ購入情報を送信するステップ（２１０）と、前記購入情報に応答して、前記安全な通信によって、前記製品配布者から前記ユーザに、該ユーザが前記解読されたソフトウエア製品を限定された方法で使用することができるようにする電子トークンを送信するステップとを含む方法。
　　【請求項３】　請求項２記載の方法において、前記限定された方法における使用には、制限された時間での使用または既定使用回数の使用を含む方法。
　　【請求項４】　請求項１記載の方法において、第２の公開キー／秘密キー対は、前記ユーザから前記製品配布者に提供されたユーザ情報（ＩＤ）を用いて生成される方法。
　　【請求項５】　請求項１または４記載の方法において、第３の公開キー／秘密キー対は、前記暗号化された製品が配布されているハードウエア識別手段、ハードウエア識別装置または媒体の媒体識別子を用いて生成される方法。
　　【請求項６】　請求項５記載の方法において、ユーザのコンピュータでの前記ソフトウエア製品の実行には、該ユーザのコンピュータへの前記ハードウエア識別装置の接続を必要とする方法。
　　【請求項７】　請求項１から６のいずれか記載の方法において、前記ユーザから前記製品配布者への前記通信または前記安全な通信は、公衆交換電話ネットワーク（１３０）を経由する押しボタン式信号または音声によって達成される方法。
　　【請求項８】　請求項１から７のいずれか記載の方法において、前記製品配布者から前記ユーザへの前記通信または前記安全な通信は、公衆交換電話ネットワーク（１３０）を経由する音声合成または音声によって達成される方法。
　　【請求項９】　制限された使用のディジタルソフトウエア製品へのアクセスを行うシステム（１００）において、
　サーバコンピュータ（１０２）と、ユーザ情報を記憶する顧客データベース（１０４）と、複数のソフトウエア製品タイトルを記憶するコンテンツデータベース（１０６）とを含むサーバネットワーク（１１０）と、
　ユーザによって操作され、且つ前記複数のソフトウエアタイトルから選択されたものを再生するように構成されたクライアントコンソール（１１４）と、
　前記クライアントコンソールに組み込み可能な、取り外し可能な記憶媒体（１２４）とを備える、システムであって、
　前記サーバコンピュータ（１０２）が、前記ソフトウエア製品を第１の公開キー（タイトルＡ）を用いて暗号化し、さらに、第２の公開キー／秘密キー対（ユーザＡ、ユーザＢ）を発生して（ステップ３０４）該第２の公開キーを前記クライアントコンソール（１１４）に送信し（ステップ３０６）、
　前記クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信［する］し、前記サーバコンピュータ（１０２）が、前記第３の公開キー（コンソールＡ）を用いて、前記第１の公開キー（タイトルＡ）によって前記暗号化したソフトウエア製品の解読（ステップ２０８）が可能な第１の秘密キー（タイトルＢ）を暗号化し、さらに、前記第２の秘密キー（ユーザＢ）を用いて該暗号化した第１の秘密キー及び前記第３の公開キーを暗号化して、該暗号化した第１の秘密キー及び前記第３の公開キーを前記ユーザに送信する（ステップ３２６、ステップ３２８）、システム。
　　【請求項１０】　請求項９記載のシステムにおいて、前記ユーザが、暗号解読情報を前記サーバコンピュータに送信（３１８、３２０）して、前記ユーザに配布された前記ソフトウエア製品へのアクセスを行う、システム。
　　【請求項１１】　請求項１０記載のシステムにおいて、前記ソフトウエア製品が読み取り可能なディスク媒体（１２２）でユーザに配布される、システム。
　　【請求項１２】　請求項１０記載のシステムにおいて、前記サーバコンピュータが、前記サーバに前記クライアントコンピュータを接続する通信リンク（１０８）を介して前記ソフトウエア製品を前記ユーザに配布する、システム。
　　【請求項１３】　請求項１１記載のシステムにおいて、前記ユーザが、公衆交換電話ネットワーク（１３０）を介して前記サーバコンピュータに接続された電話機（１３２）を使用して前記暗号解読情報を前記サーバコンピュータに送信する、システム。
　　【請求項１４】　請求項１２記載のシステムにおいて、前記ユーザが、前記通信リンクを介して前記暗号解読情報を前記サーバコンピュータに送信する、システム。
　　【請求項１５】　請求項１０記載のシステムにおいて、前記購入オプションが、予め設定された時間前記ソフトウエア製品を使用することを含む、システム。
　　【請求項１６】　請求項１０記載のシステムにおいて、前記購入オプションが、予め設定された期間のアクセスの間前記ソフトウエア製品を使用することを含む、システム。
　　【請求項１７】　請求項１０記載のシステムにおいて、前記第３の公開キー（コンソールＡ）が前記クライアントコンソールに組み込み可能な、取り外し可能な記憶媒体（１２４）に割り当てられ、符号化される、システム。
　　【請求項１８】　請求項１０記載のシステムにおいて、前記クライアントコンソールが対話型ゲームコンピュータであり、かつ前記ソフトウエア製品が、前記クライアントコンソールで実行可能な対話型コンピュータゲームを含む、システム。」
　
２．補正の適否（特許法第１７条の２第３項及び第４項に規定する要件についての検討）
（１）平成１９年３月１９日付け手続補正について
　平成１９年３月１９日付け手続補正は、補正前の請求項１９〜補正前の請求項４１を削除するものである。
　したがって、平成１９年３月１９日付けの手続補正は、特許法第１７の２第３項及び第４項の規定を満たすものである。
　
（２）平成１９年４月１８日付け手続補正について
　平成１９年４月１８日付け手続補正で補正された、特許請求の範囲の請求項９（以下、簡単のため、「補正後の請求項９」と言う）は、その記載からして、次の事項（ａ）を含んでいる。
　 
　（ａ）サーバコンピュータ（１０２）が、第３の公開キー（コンソールＡ）を用いて、第１の公開キー（タイトルＡ）によって暗号化したソフトウエア製品の解読（ステップ２０８）が可能な第１の秘密キー（タイトルＢ）を暗号化し、さらに、第２の秘密キー（ユーザＢ）を用いて該暗号化した第１の秘密キー
及び前記第３の公開キーを暗号化
暗号化した
前記第３の公開キー
　
　（ａ）における記載からすると、「サーバコンピュータ」は、第２の秘密キー（ユーザＢ）を用いて
第３の公開キーを暗号化
暗号化した前記第３の公開キー
　
　しかしながら、願書に最初に添付した明細書の発明の詳細な説明を参照すると、発明の詳細な説明には、
「【００２７】　・・・（中略）・・・　タイトルＢキーは、タイトル公開キー（タイトルＡ）に対応する秘密キーである。次に、サーバ２２２は、ユーザ秘密キー（ユーザＢ）を使用してタイトルＢキーを再暗号化し、ユーザ２２０に送信する。」、
「【００４０】　・・・（中略）・・・　次に、このサーバは、ソフトウェアタイトル用の対応する秘密キーをデータベースから検索し、この秘密キーをメモリカード公開キー及びユーザ秘密キーの両方へ暗号化する（ステップ３２６）。一実施例では、ソフトウェアタイトルのためのソフトウェアプログラムは、サーバ１０２に密に接続又は疎に接続されるコンテンツデータベース１０６に記憶される。このステップでは、サーバは、ユーザが選択した購入オプションのデータをメモリカード公開キー及びユーザ秘密キーの両方へ暗号化もする。」、
「【００４１】
　ステップ３２８では、サーバは、秘密キー及び購入オプション情報をユーザに送信する。　・・・（後略）」、及び
「【００４６】　・・・（中略）・・・　サーバは、ソフトウェアタイトルのための対応する秘密キーをデータベースから検索し、このキーをメモリカード公開キー及びユーザ秘密キーの両方へ暗号化してもよい。　・・・（中略）・・・　このステップでは、サーバは、ユーザが選択した購入オプションのデータをメモリカード公開キー及びユーザ秘密キーの両方へ暗号化もする。ユーザの要求時に、サーバは、選択ソフトウェア製品をネットワーク化した対話型コンピュータエンタテインメントシステムに送信し、　・・・（後略）」と記載されているに過ぎず、また願書に最初に添付した図面にも、
「【図２Ｂ】」に、サーバがコンソール公開キー（コンソールＡ）を用いてタイトル秘密キー（タイトルＢ）を暗号化し、さらに、ユーザ秘密キー（ユーザＢ）を用いて該暗号化したタイトル秘密キー（タイトルＢ）を暗号化して、該暗号化したタイトル秘密キー（タイトルＢ）をユーザに送信するフローが記載され、
「【図３Ｂ】」に、「サーバがソフトウェアタイトルパスワードをデータベースから引き出しこのパスワードをシステム公開キー及びユーザ秘密キーに暗号化する」（ステップ３２６）及び「サーバが暗号化パスワード及び購入オプション情報をユーザに送信する」（ステップ３２８）ことが記載され、
「【図４Ｂ】」に、「サーバがソフトウェアタイトルパスワードをデータベースから引き出しこのパスワードをシステム公開キー及びユーザ秘密キーに暗号化する」及び「サーバが暗号化パスワード及び購入オプション情報をユーザに送信する」ことが記載されているに過ぎず、「サーバコンピュータ」が、第２の秘密キー（ユーザＢ）を用いて第３の公開キーを暗号化して、該暗号化した前記第３の公開キーをユーザに送信することについて、記載も示唆もない。
　そして、「サーバコンピュータ」が、第２の秘密キー（ユーザＢ）を用いて第３の公開キーを暗号化して、該暗号化した前記第３の公開キーをユーザに送信することは、自明な事項でもない。
　
　してみると、補正後の請求項９に記載された（ａ）の事項は、出願当初の明細書又は図面に記載されておらず、かつ、その記載から自明なものでもないから、上記事項を追加する本件補正は、出願当初の明細書又は図面に記載した範囲内でしたものではないので、特許法第１７条の２第３項の規定に違反するものである。
　
（３）補正の適否についてのまとめ
　以上のとおりであるから、平成１９年４月１８日付けの手続補正は、願書に最初に添付された明細書、特許請求の範囲又は図面に記載した範囲内にしたものでなく、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３．本願発明についての検討
１．本願発明
　平成１９年４月１８日付けの手続補正は上記のように却下されたので、本件出願の請求項９に係る発明（以下、「本願発明」という。）は、平成１９年３月１９日付けで補正された明細書の特許請求の範囲の請求項９に記載された以下のとおりのものである。
　
「制限された使用のディジタルソフトウエア製品へのアクセスを行うシステム（１００）において、
　サーバコンピュータ（１０２）と、ユーザ情報を記憶する顧客データベース（１０４）と、複数のソフトウエア製品タイトルを記憶するコンテンツデータベース（１０６）とを含むサーバネットワーク（１１０）と、
　ユーザによって操作され、且つ前記複数のソフトウエアタイトルから選択されたものを再生するように構成されたクライアントコンソール（１１４）と、
　前記クライアントコンソールに組み込み可能な、取り外し可能な記憶媒体（１２４）とを備える、システムであって、
　前記サーバコンピュータ（１０２）が、前記ソフトウエア製品を第１の公開キー（タイトルＡ）を用いて暗号化し、さらに、第２の公開キー／秘密キー対（ユーザＡ、ユーザＢ）を発生して（ステップ３０４）該第２の公開キーを前記クライアントコンソール（１１４）に送信し（ステップ３０６）、
　前記クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信する、システム。」
　
２．引用文献 
　原査定の拒絶の理由に引用された特開平７−２９５６７４号公報（以下、「引用文献」という。）には、図面とともに次の事項が記載されている。
　
（ア）「【０００１】
【産業上の利用分野】本発明は、情報提供者の著作権を保護しながら、有料および無料情報を流通させるための情報流通装置および方法に関する。
【０００２】
【従来の技術】従来、コンピュータソフトウェアやデータベース情報の販売方法として以下のようなものが提案されている（特開平５−１６５７８２号公報参照）。
【０００３】この販売システムを利用するユーザは登録用葉書をセンタに送付することにより予め登録手続きを済ませておく。このとき各ユーザ毎に一意なパスワードを受け取る。情報提供者から提供された有料情報を暗号化して記憶媒体に保存しておき、この記憶媒体は登録済みユーザに無料配布される。
【０００４】ユーザは記憶媒体を検索することにより読み出したい情報を見つけた場合、オペレーションセンタに電話して（電話は自動的に掛けられる）、自分のパスワードと読み出し要求をセンタに送信する。センタは送信されたパスワードを照合し、登録されたパスワードと一致することを認めた場合にのみ暗号化された情報を解読するために必要な秘密鍵をユーザに送信する。
【０００５】センタでは、同時に、要求のあった情報に対する情報料を当該ユーザに対して課金する。実際の支払いはクレジットカードを用いて行われる。ユーザは受信した秘密鍵を用いて記憶媒体上の情報を復号化して情報を読み出すことができる。
【０００６】・・・（中略）・・・
【０００７】・・・（中略）・・・
【０００８】本発明は、上記に鑑みてなされたもので、その目的とするところは、有料情報を流通させる際に、情報を読み出す度に課金を行うような場合にも使用可能であり、かつ通信回線の傍受などの不正行為に対しても十分な強度を持つ情報流通装置および方法を提供することにある。」
　
（イ）「【００１３】
【実施例】以下、図面を用いて本発明の実施例を説明する。図１は、本発明の一実施例に係わる情報流通装置の構成を示すブロック図である。同図に示す情報流通装置は、一例として、有料情報を記憶している記憶媒体としてＣＤ−ＲＯＭ１を使用する場合について示している。
【００１４】図１において、ユーザの情報端末２と鍵管理センタ３とは公衆回線によって接続されている。また、流通媒体製造者端末４と鍵管理センタ３とはＬＡＮあるいは公衆回線によって接続されている。流通媒体製造者端末４には情報提供者５から有料情報が提供される。
【００１５】・・・（中略）・・・
【００１６】暗号化部４１はＩＰと呼ばれる情報提供者５から受け取った有料情報を有料情報毎に別々の秘密鍵Ｋ２を用いて暗号化する。このとき有料情報は情報提供者５の決定する単位毎に固有の識別番号Ｎを付与する。情報の識別番号と秘密鍵との対応を示す情報は鍵管理センタが管理する。
【００１７】流通媒体製造部４２は暗号化部４１の出力である暗号化された有料情報および前記鍵管理センタ３によって生成された公開鍵Ｋ４を１枚のＣＤ−ＲＯＭ１に保存する。
【００１８】・・・（中略）・・・
【００１９】秘密鍵生成部３１は、公開鍵Ｋ４および対応する秘密鍵Ｋ３を生成し、公開鍵Ｋ４は流通媒体製造者端末４の流通媒体製造部４２に送られ、秘密鍵Ｋ３は復号化部３２に供給される。復号化部３２は、ユーザの情報端末２から受信した情報の識別番号Ｎおよび秘密鍵Ｋ１を秘密鍵Ｋ３によって復号化する。
【００２０】・・・（中略）・・・
【００２１】・・・（中略）・・・
【００２２】図４は、ユーザの情報端末２の構成を示すブロック図である。該情報端末２は、秘密鍵生成部２１、暗号化部２２、復号化部２３、情報読み取り部２４、ＣＤ−ＲＯＭシステム２５を有する。」
　
（ウ）「【００２８】上述した手順によって生成されたＣＤ−ＲＯＭ１を購入したユーザは、該ＣＤ−ＲＯＭ１をユーザが所有する情報端末２中のＣＤ−ＲＯＭシステム２５に装着する（図５のステップ５０１／図６のステップ６０１）。そして、ユーザはＣＤ−ＲＯＭ１上に保存された販売案内プログラムを起動して購入する有料情報を選択する（内部的には、有料情報のＩＤが選択される）（ステップ５０２，５０３／ステップ６０２，６０３）。
【００２９】ユーザによって有料情報が選択されると、情報端末２はモデムを介して鍵管理センタ３に公衆回線を通じて接続する（ステップ５０４／ステップ６０４）。接続終了後、情報端末２の秘密鍵生成部２１は秘密鍵Ｋ１を生成する（ステップ５０５／ステップ６０６）。
【００３０】また、情報端末２の暗号化部２２は秘密鍵Ｋ１と選択された有料情報のＩＤ（Ｎ）をＣＤ−ＲＯＭ１上に保存されている公開鍵Ｋ４により暗号化して鍵管理センタ３に送信する（ステップ６０５，６０７）。」
　
（エ）「【００３６】情報端末２の情報読み取り部２４はＣＤ−ＲＯＭシステム２５から暗号化された有料情報を読み出し、復号化部２３の出力である秘密鍵Ｋ２で復号化し、有料情報を画面上に表示する（ステップ５１４／ステップ６１４，６１５）。
【００３７】本実施例においては、有料情報の記憶媒体はＣＤ−ＲＯＭを想定したが、磁気ディスクやＤＡＴ等のランダムアクセスが可能な記憶媒体も利用可能である。また、有料情報は、文字情報に限定することなく静止画、動画、音声等の情報も含めることができるものである。」
　
　（ア）の段落【０００１】における記載「本発明は、情報提供者の著作権を保護しながら、有料および無料情報を流通させるための情報流通装置および方法に関する。」、（ア）の段落【０００２】における記載「コンピュータソフトウェアやデータベース情報の販売方法として以下のようなものが提案されている」、（エ）の段落【００３６】における記載「情報端末２の情報読み取り部２４はＣＤ−ＲＯＭシステム２５から暗号化された有料情報を読み出し、復号化部２３の出力である秘密鍵Ｋ２で復号化し、有料情報を画面上に表示する」、及び（エ）の段落【００３７】における記載「有料情報の記憶媒体はＣＤ−ＲＯＭを想定したが、磁気ディスクやＤＡＴ等のランダムアクセスが可能な記憶媒体も利用可能である。また、有料情報は、文字情報に限定することなく静止画、動画、音声等の情報も含めることができるものである。」からすると、引用文献には、使用するに際して復号化する必要のある暗号化されたコンピュータソフトウェアや静止画、動画、音声等の有料情報へのアクセスを行うための情報流通装置について記載されていると解される。
　
　（ア）の段落【０００３】における記載「この販売システムを利用するユーザは登録用葉書をセンタに送付することにより予め登録手続きを済ませておく。このとき各ユーザ毎に一意なパスワードを受け取る。情報提供者から提供された有料情報を暗号化して記憶媒体に保存しておき、この記憶媒体は登録済みユーザに無料配布される。」、（ア）の段落【０００４】における記載「ユーザは記憶媒体を検索することにより読み出したい情報を見つけた場合、オペレーションセンタに電話して（電話は自動的に掛けられる）、自分のパスワードと読み出し要求をセンタに送信する。センタは送信されたパスワードを照合し、登録されたパスワードと一致することを認めた場合にのみ暗号化された情報を解読するために必要な秘密鍵をユーザに送信する。」、（ア）の段落【０００５】における記載「センタでは、同時に、要求のあった情報に対する情報料を当該ユーザに対して課金する。実際の支払いはクレジットカードを用いて行われる。」、及び（ア）の段落【０００８】における記載「本発明は、上記に鑑みてなされたもので、その目的とするところは、有料情報を流通させる際に、情報を読み出す度に課金を行うような場合にも使用可能であり、かつ通信回線の傍受などの不正行為に対しても十分な強度を持つ情報流通装置および方法を提供することにある。」からすると、引用文献に記載された発明において、課金を行うために、ユーザ情報（例えば、ユーザパスワード、クレジット番号）をセンタに登録しておくもの（すなわち、ユーザ情報を記憶する記憶手段を備えている）と認められる。
　
　（イ）の段落【００１３】における記載「図１は、本発明の一実施例に係わる情報流通装置の構成を示すブロック図である。同図に示す情報流通装置は、一例として、有料情報を記憶している記憶媒体としてＣＤ−ＲＯＭ１を使用する場合について示している。」、（イ）の段落【００１４】における記載「図１において、ユーザの情報端末２と鍵管理センタ３とは公衆回線によって接続されている。また、流通媒体製造者端末４と鍵管理センタ３とはＬＡＮあるいは公衆回線によって接続されている。流通媒体製造者端末４には情報提供者５から有料情報が提供される。」、（イ）の段落【００１６】における記載「情報提供者５から受け取った有料情報を有料情報毎に別々の秘密鍵Ｋ２を用いて暗号化する。このとき有料情報は情報提供者５の決定する単位毎に固有の識別番号Ｎを付与する。情報の識別番号と秘密鍵との対応を示す情報は鍵管理センタが管理する。」、（イ）の段落【００１７】における記載「流通媒体製造部４２は暗号化部４１の出力である暗号化された有料情報および前記鍵管理センタ３によって生成された公開鍵Ｋ４を１枚のＣＤ−ＲＯＭ１に保存する。」、（イ）の段落【００２２】における記載「図４は、ユーザの情報端末２の構成を示すブロック図である。該情報端末２は、秘密鍵生成部２１、暗号化部２２、復号化部２３、情報読み取り部２４、ＣＤ−ＲＯＭシステム２５を有する。」、（ウ）の段落【００２８】における記載「ユーザはＣＤ−ＲＯＭ１上に保存された販売案内プログラムを起動して購入する有料情報を選択する（内部的には、有料情報のＩＤが選択される）」、（エ）の段落【００３６】における記載「情報端末２の情報読み取り部２４はＣＤ−ＲＯＭシステム２５から暗号化された有料情報を読み出し、復号化部２３の出力である秘密鍵Ｋ２で復号化し、有料情報を画面上に表示する」及び（エ）の段落【００３７】における記載「有料情報の記憶媒体はＣＤ−ＲＯＭを想定したが、磁気ディスクやＤＡＴ等のランダムアクセスが可能な記憶媒体も利用可能である。」からすると、流通媒体製造者端末と鍵管理センタとはＬＡＮで接続され、互いに連携してユーザにサービスを提供するサーバシステム（以下、「有料情報アクセス提供サーバシステム」と言う。）であると解されるとともに、前記情報流通装置は、流通媒体製造者端末と鍵管理センタとがＬＡＮで接続され互いに連携してユーザにサービスを提供する有料情報アクセス提供サーバシステムであって、情報提供者から提供された有料情報を有料情報毎に暗号化する有料情報アクセス提供サーバシステムと、複数の有料情報を記憶するＣＤ−ＲＯＭと、ユーザによって操作され、且つ前記複数の有料情報から選択されたものを表示（すなわち、再生）するように構成されたユーザの情報端末と、前記情報端末に組み込み可能な、取り外し可能なＣＤ−ＲＯＭ、ＤＡＴ等の記憶媒体とを備えると解される。
　
　（イ）の段落【００１６】における記載「暗号化部４１はＩＰと呼ばれる情報提供者５から受け取った有料情報を有料情報毎に別々の秘密鍵Ｋ２を用いて暗号化する。このとき有料情報は情報提供者５の決定する単位毎に固有の識別番号Ｎを付与する。」、（イ）の段落【００１７】における記載「流通媒体製造部４２は暗号化部４１の出力である暗号化された有料情報および前記鍵管理センタ３によって生成された公開鍵Ｋ４を１枚のＣＤ−ＲＯＭ１に保存する。」、（イ）の段落【００１９】における記載「秘密鍵生成部３１は、公開鍵Ｋ４および対応する秘密鍵Ｋ３を生成し、公開鍵Ｋ４は流通媒体製造者端末４の流通媒体製造部４２に送られ」、及び（ウ）の段落【００２８】における記載「ユーザは、該ＣＤ−ＲＯＭ１をユーザが所有する情報端末２中のＣＤ−ＲＯＭシステム２５に装着する」からすると、前記流通媒体製造者端末の暗号化部が、前記コンピュータソフトウェアや静止画、動画、音声等の有料情報を有料情報毎に別々の秘密鍵Ｋ２を用いて暗号化し、さらに、鍵管理センタの秘密鍵生成部が公開鍵Ｋ４及び対応する秘密鍵Ｋ３を生成（すなわち発生）し、前記生成された該公開鍵Ｋ４を前記流通媒体製造者端末の流通媒体生成部が、情報端末に配布されるＣＤ−ＲＯＭに格納し、前記公開鍵Ｋ４はＣＤ−ＲＯＭを介して情報端末に提供されると解される。
　ここで、流通媒体製造者端末の暗号化部、流通媒体生成部、及び鍵管理センタの秘密鍵生成部は、前記有料情報アクセス提供サーバシステムに含まれることから、引用文献の前記有料情報アクセス提供サーバシステムは、前記コンピュータソフトウェアや静止画、動画、音声等の有料情報を有料情報毎に別々の秘密鍵Ｋ２を用いて暗号化し、さらに、公開鍵Ｋ４及び対応する秘密鍵Ｋ３を発生して、情報端末に配布されるＣＤ−ＲＯＭに格納し、前記公開鍵Ｋ４はＣＤ−ＲＯＭを介して情報端末に提供されると認められる。
　
（ウ）の段落【００２９】における記載「ユーザによって有料情報が選択されると、情報端末２はモデムを介して鍵管理センタ３に公衆回線を通じて接続する（ステップ５０４／ステップ６０４）。接続終了後、情報端末２の秘密鍵生成部２１は秘密鍵Ｋ１を生成する（ステップ５０５／ステップ６０６）。」、及び（ウ）の段落【００３０】における記載「情報端末２の暗号化部２２は秘密鍵Ｋ１と選択された有料情報のＩＤ（Ｎ）をＣＤ−ＲＯＭ１上に保存されている公開鍵Ｋ４により暗号化して鍵管理センタ３に送信する」からすると、前記ユーザの情報端末が、秘密鍵Ｋ１を生成（すなわち、発生）し、前記公開鍵Ｋ４を用いて前記秘密鍵Ｋ１を暗号化し、さらに、前記暗号化された秘密鍵Ｋ１を前記鍵管理センタに送信すると解される。
　ここで、鍵管理センタは、前記有料情報アクセス提供サーバシステムに含まれることから、引用文献には、情報端末が、秘密鍵Ｋ１を発生し、前記公開鍵Ｋ４を用いて前記秘密鍵Ｋ１を暗号化し、さらに、前記暗号化された秘密鍵Ｋ１を前記有料情報アクセス提供サーバシステムに送信すると認められる。
　
  よって、（ア）〜（エ）における記載及びその関連する図面からすると、引用文献には、以下の発明（以下「引用発明」という）が記載されていると認められる。 
　
　使用するに際して有料であるコンピュータソフトウェアや静止画、動画、音声等の有料情報へのアクセスを行うための情報流通装置において、
　ユーザ情報を記憶する記憶手段と、流通媒体製造者端末と鍵管理センタとがＬＡＮで接続され互いに連携してユーザにサービスを提供する有料情報アクセス提供サーバシステムであって、情報提供者から提供された有料情報を有料情報毎に暗号化する有料情報アクセス提供サーバシステムと、複数の有料情報を記憶するＣＤ−ＲＯＭと、ユーザによって操作され、且つ前記複数の有料情報から選択されたものを再生するように構成された情報端末と、
　前記情報端末に組み込み可能な、取り外し可能なＣＤ−ＲＯＭ、ＤＡＴ等の記憶媒体とを備える、情報流通装置であって、
　前記有料情報アクセス提供サーバシステムは、前記コンピュータソフトウェアや静止画、動画、音声等の有料情報を有料情報毎に別々の秘密鍵Ｋ２を用いて暗号化し、さらに、公開鍵Ｋ４及び対応する秘密鍵Ｋ３を発生して、情報端末に配布されるＣＤ−ＲＯＭに格納するものであって、前記公開鍵Ｋ４は前記ＣＤ−ＲＯＭを介して情報端末に提供され、
　前記情報端末が、秘密鍵Ｋ１を発生し、前記公開鍵Ｋ４を用いて前記秘密鍵Ｋ１を暗号化し、さらに、前記暗号化された秘密鍵Ｋ１を前記有料情報アクセス提供サーバシステムに送信する、情報流通装置。
　
３．対比
　本願発明と引用発明とを比較する。
　引用発明の「使用するに際して復号化する必要のある暗号化されたコンピュータソフトウェアや静止画、動画、音声等の有料情報」は、本願発明の「制限された使用のディジタルソフトウエア製品」、「複数のソフトウェア製品タイトル」、「ソフトウェアタイトル」、及び「ソフトウェア製品」に相当する。
　引用発明の「ユーザ情報を記憶する記憶手段」、「情報流通装置」及び「情報端末」は、それぞれ本願発明の「ユーザ情報を記憶する顧客データベース」、「システム」及び「クライアントコンソール」に相当する。
　引用発明の「公開鍵Ｋ４及び対応する秘密鍵Ｋ３」は、本願発明の「第２の公開キー／秘密キー対」に相当する。
　
　引用発明の「流通媒体製造者端末と鍵管理センタとがＬＡＮで接続され互いに連携してユーザにサービスを提供する有料情報アクセス提供サーバシステム」と、本願発明の「サーバコンピュータ」とは、ともに、サーバシステムである点で共通する。
　引用発明の「秘密鍵Ｋ２」と、本願発明の「第１の公開キー」とは、ともに、ソフトウェア製品を暗号化するための暗号キー（以下、「第１の暗号キー」と言う）である点で共通する。
　引用発明の「有料情報アクセス提供サーバシステム」は、公開鍵Ｋ４及び対応する秘密鍵Ｋ３を発生して、情報端末に配布されるＣＤ−ＲＯＭに格納するものであって、前記公開鍵Ｋ４は前記有料情報アクセス提供サーバシステムの作成したＣＤ−ＲＯＭを介して情報端末に提供されることから、前記公開鍵Ｋ４を記憶媒体を介して情報端末に提供すると認められる。他方、本願発明の「サーバコンピュータ（１０２）」は、第２の公開キー／秘密キー対（ユーザＡ、ユーザＢ）を発生して（ステップ３０４）該第２の公開キーを前記クライアントコンソール（１１４）に送信することから、該第２の公開キーを通信媒体を介して前記クライアントコンソールに提供すると認められる。
　よって、引用発明の「有料情報アクセス提供サーバシステム」と本願発明の「サーバコンピュータ（１０２）」とは、ともに、サーバシステムが、第２の公開キー／秘密キー対を発生して該第２の公開キーを媒体を介して前記クライアントコンソールに提供する点で共通する。
　
　引用発明の「秘密鍵Ｋ１」と、本願発明の「第３の公開キー／秘密キー対」とは、ともに、クライアントコンソールが発生する暗号キー（以下、「第３の暗号キー」と言う）であって、第２の公開キーを用いて暗号化し、サーバシステムに送信される第３の暗号キーである点で共通する。
　
　よって、本願発明と引用発明とは、以下の点で一致し、また、相違している。
　
（一致点）
　制限された使用のディジタルソフトウエア製品へのアクセスを行うシステムにおいて、
　ユーザ情報を記憶する顧客データベースと、サーバシステムと、
　ユーザによって操作され、且つ前記複数のソフトウエアタイトルから選択されたものを再生するように構成されたクライアントコンソールと、
　前記クライアントコンソールに組み込み可能な、取り外し可能な記憶媒体とを備える、システムであって、
　前記サーバシステムが、前記ソフトウエア製品を第１の暗号キーを用いて暗号化し、さらに、第２の公開キー／秘密キー対を発生して該第２の公開キーを媒体を介して前記クライアントコンソールに提供し、
　前記クライアントコンソールが、第３の暗号キーを発生し、前記第２の公開キーを用いて前記第３の暗号キーを暗号化し、さらに、前記暗号化された第３の暗号キーを前記サーバシステムに送信する、システム。
　
（相違点１）
　「サーバシステム」について、本願発明は、「サーバコンピュータ」であるのに対して、引用発明は、「流通媒体製造者端末とＬＡＮで接続された鍵管理センタとから構成される有料情報アクセス提供サーバシステム」である点。
　
（相違点２）
　本願発明のソフトウェア製品は「第１の公開キー」を用いて暗号化されるのに対して、引用発明の有料情報は、「秘密鍵Ｋ２」を用いて暗号化される点。
　
（相違点３）
　本願発明は「サーバコンピュータ（１０２）と、ユーザ情報を記憶する顧客データベース（１０４）と、複数のソフトウエア製品タイトルを記憶するコンテンツデータベース（１０６）とを含むサーバネットワーク（１１０）」を有するのに対して、引用発明は、ユーザ情報を記憶する記憶手段と、流通媒体製造者端末と鍵管理センタとがＬＡＮで接続され互いに連携してユーザにサービスを提供する有料情報アクセス提供サーバシステムであって、情報提供者から提供された有料情報を有料情報毎に暗号化する有料情報アクセス提供サーバシステムである点。
　
（相違点４）
　本願発明の「サーバコンピュータ（１０２）」は、第２の公開キーをクライアントコンソール（１１４）に送信するのに対して、引用発明の「有料情報アクセス提供サーバシステム」は、公開鍵Ｋ４を情報端末に配布されるＣＤ−ＲＯＭに格納し、前記公開鍵Ｋ４は前記ＣＤ−ＲＯＭを介して情報端末に提供する点。
　
（相違点５）
　本願発明は、クライアントコンソール（１１４）が、第３の公開キー／秘密キー対（コンソールＡ、コンソールＢ）を発生し（ステップ３０８）、前記第２の公開キーを用いて前記第３の公開キーを暗号化し（ステップ３１０）、さらに、前記暗号化された第３の公開キーを前記サーバコンピュータ（１０２）に送信するのに対して、引用発明は、情報端末が、秘密鍵Ｋ１を発生し、前記公開鍵Ｋ４を用いて前記秘密鍵Ｋ１を暗号化し、さらに、前記暗号化された秘密鍵Ｋ１を前記有料情報アクセス提供サーバシステムに送信する点。
　
４．判断
　相違点１について検討する。
　ＬＡＮで連携した複数のサーバで実現する機能をサーバコンピュータで実現することは、当業者にとってきわめて常識的・基礎的事項であるから、引用発明の「流通媒体製造者端末とＬＡＮで接続された鍵管理センタとから構成される有料情報アクセス提供サーバシステム」をサーバコンピュータとすることは、当業者であれば、適宜なし得たことである。
　よって、相違点１は格別のものではない。
　
　相違点２について検討する。
　コンテンツを暗号化するためのコンテンツ暗号化鍵として、共通鍵暗号あるいはＲＳＡや楕円暗号等の公開鍵暗号を用いることは、当業者にとって周知の事項である。（特開２０００−３４７５６６号公報の段落【００１５】における記載「コンテンツを暗号化するためのコンテンツ暗号化鍵を生成し（Ｓ１）、そのコンテンツ暗号化鍵を用いてコンテンツに対して暗号化を施し、暗号化コンテンツ８を生成する（Ｓ２）。暗号化には例えばＭＩＳＴＹなどの共通鍵暗号あるいはＲＳＡや楕円暗号等の公開鍵暗号を用いる。」、特開２０００−９００３９号公報の段落【００８３】における記載「音楽データの暗号化に公開鍵方式を用いているが、・・・（中略）・・・、共通鍵方式を用いて音楽データの暗号化を行う用にしてもよい。」、特開２０００−３２４０９６号公報の段落【００１０】における記載「公開鍵をもとにコンテンツを暗号化する手段とを設ける。」等参照。）
　よって、引用発明の有料情報を（共通鍵暗号に相当する）秘密キーに替えて公開鍵暗号を用いるようにすることは、当業者であれば、適宜なし得たことである。
　よって、相違点２は格別のものではない。
　
　相違点３について検討する。
　ディジタルコンテンツをユーザに提供するために、複数のディジタルコンテンツを記憶するデータベースを設けることは、当業者にとって周知の技術である。（特開２０００−２４２６０４号公報の段落【０００２】における記載「近年、音楽や映画、更にＴＶゲームなどのプログラムのデジタルのコンテンツは通信の普及により、店頭で購入するでけでなく、オンラインで購入することが可能となとっている。」、段落【００１７】における記載「データベースサーバ１２は、暗号化デジタルコンテンツ及び暗号鍵１１を保存したデータベースを管理するサーバであって、・・・（後略）」、特開平１１−７４８８２号公報の段落【００１８】における記載「通信回線１００を介してインターネットに接続されたコンテンツサーバ３には、各種プログラムやデータ等の「情報資源」としてのコンテンツ４が記憶されている。」、及び原査定の拒絶の理由に引用された特開平１０−２６９２９０号公報の段落【００３２】における記載「管理センタ２１１にて加工されたコンテンツは、図５の（５）に示すように、仮想店舗２３０に送られ、さらにこの仮想店舗２３０を介して、図５の（６）のようにユーザ側２００のユーザ端末５０に供給される。」等参照。）
　してみると、引用発明において、複数の有料情報を記憶するデータベースを設けること、すなわち、ユーザ情報を記憶する記憶手段と、流通媒体製造者端末と鍵管理センタとがＬＡＮで接続され互いに連携してユーザにサービスを提供する有料情報アクセス提供サーバシステムと、複数の有料情報を記憶するデータベースとを含むサーバネットワークを構成するようにすることは、当業者であれば、適宜なし得たことである。
　よって、相違点３は格別のものではない。
　
　相違点４について検討する。
　装置間における情報の転送を記憶媒体を介して行うか、または通信媒体を介して行うか、は当業者にとって周知の常識的・基礎的事項である。（特開平１０−１５４０４４号公報の段落【００１５】における記載「装置間における情報の転送は、前記情報が格納される記憶媒体を介して行われることを特徴とする。」及び段落【００１６】における記載「装置間における情報の転送は、前記装置間を結ぶ通信媒体を介して行われることを特徴とする。」等参照。）
　してみると、引用発明の「有料情報アクセス提供サーバシステム」が、公開鍵Ｋ４を通信媒体を介して情報端末に提供する（すなわち、送信する）ように構成することは、当業者であれば、適宜なし得たことである。
　よって、相違点４は格別のものではない。
　
　相違点５について検討する。
　サーバーが、そのサーバーの公開鍵をユーザ処理装置へ送信し、ユーザ処理装置が、サーバーから受信したサーバーの公開鍵を用いて情報要求およびユーザの公開鍵を暗号化してサーバーへ送信する情報暗号化方法は、当業者にとって、周知の技術である。（特開平１０−５６４４７号公報の段落【０００７】における記載「サーバーは、その接続要求を受信すると、そのサーバーの公開鍵を・・・（中略）・・・ユーザ処理装置へ送信し、ユーザ処理装置は、サーバーから受信したサーバーの公開鍵Ｋpu-sを用いて情報要求およびユーザの公開鍵を暗号化して・・・（中略）・・・サーバーへ送信し」、段落【００２０】における記載「情報の復号に使用する秘密鍵Ｋｓのサーバーからユーザ処理装置への送信に、ユーザの公開鍵Ｋpu-uを用いて暗号化することにより、さらに安全性の向上が可能となる。・・・（中略）・・・情報要求およびユーザの公開鍵のユーザ処理装置からサーバーへの送信に、サーバーの公開鍵Ｋpu-sを用いて暗号化することにより、さらに安全性の向上が可能となる。」、及び特開２０００−２４４６５５号公報の【請求項３】における記載「交換機は、・・・（中略）・・・公開鍵を前記通信相手先交換機の公開鍵で暗号化し、前記通信相手先交換機に送信し」参照。）
　よって、引用発明において、情報端末が、秘密キーに替えて公開キー／秘密キー対を発生し、前記公開鍵Ｋ４を用いて前記情報端末の秘密キーに替えて該公開キーを暗号化し、さらに、前記暗号化された情報端末の公開キーを前記有料情報アクセス提供サーバシステムに送信するように構成することは、当業者であれば、容易に想到し得たことである。
　よって、相違点５は格別のものではない。
　
　上記で検討したごとく、相違点１〜相違点５は格別のものではなく、そして、本願発明の構成によってもたらされる効果も、当業者であれば当然に予測可能なものに過ぎず格別なものとは認められない。 
　 
　したがって、本願発明は、引用文献に記載された発明及び周知技術に基づいて、容易に発明できたものである。
　
５．むすび 
　以上のとおり、本願の請求項９に係る発明は、その出願前日本国内又は外国において頒布された刊行物に記載された発明に基いて、その出願前にその発明の属する技術の分野における通常の知識を有する者が容易に発明をすることができたものであるから、特許法第２９条第２項の規定により特許を受けることができない。  
　  
　よって、結論のとおり審決する。